(57)【特許請求の範囲】
【請求項１】
ハウジングと、
前記ハウジング内に幅方向に並列して挿入される複数の端子金具と、
前記ハウジングに対し、前記端子金具の挿入方向と交差する方向に組み付けられるリテーナと、
前記リテーナを構成し、板面を前記リテーナの組付け方向と交差する方向に向けた基板部と、
前記リテーナを構成し、前記基板部から前記リテーナの組付け方向と同方向に立ち上がった形態の本体部と、
前記本体部の立ち上がり端部に形成され、前記端子金具に係止することで前記端子金具を抜止めする抜止め部と、
前記リテーナを構成し、前記基板部の幅方向両端縁から前記リテーナの組付け方向と同方向に立ち上がり、且つ前記本体部の幅方向両端部から前記端子金具の挿入方向と略平行に突出した形態の一対の側壁部と、
前記側壁部の立ち上がり端部に形成され、前記ハウジングに係止することで前記リテーナを前記ハウジングに対して組付け状態に保持する係止突起と、
前記本体部の幅方向端部のうち前記側壁部の内側面との境界部に形成され、前記リテーナの組付け方向と略平行な溝状の凹部と、
前記本体部の幅方向端部に形成され、前記凹部における前記基板部と反対側の端部を前記本体部の外側面へ連通させる第１切欠部と、
前記第１切欠部と連通し、且つ前記係止突起を前記本体部から分離させる第２切欠部とを備えていることを特徴とするコネクタ。
【請求項２】
前記係止突起が、前記第１切欠部よりも前記リテーナの組付け方向先方に配されていることを特徴とする請求項１記載のコネクタ。
【請求項３】
前記凹部の内側面には、前記リテーナの組付け方向と交差する断面形状が曲線からなる曲面部が形成されていることを特徴とする請求項１又は請求項２記載のコネクタ。
【請求項４】
前記曲面部が、前記凹部の幅方向全領域に亘って連続して形成されていることを特徴とする請求項３記載のコネクタ。
【請求項５】
前記曲面部の断面形状は、曲率が一定の円弧のみで構成されていることを特徴とする請求項４記載のコネクタ。
【請求項６】
前記側壁部の内側面と前記凹部の内側面とが滑らかに連続していることを特徴とする請求項１ないし請求項５のいずれか１項記載のコネクタ。
【発明の詳細な説明】
【技術分野】
【０００１】
本発明は、コネクタに関するものである。
【背景技術】
【０００２】
特許文献１には、ハウジングと、ハウジング内に幅方向に並列した状態で挿入される複数の端子金具と、ハウジングに対し端子金具の挿抜方向と交差する方向に組み付けられ、端子金具を抜止めするリテーナとを備えたコネクタが開示されている。リテーナは、基板部からリテーナの組付け方向と同方向に立ち上がる本体部を有する。本体部の立ち上がり端部には、端子金具に係止される抜止め部が形成されている。
【０００３】
図１２に示すように、リテーナ１００は、基板部１０１の幅方向両端縁からリテーナ１００の組付け方向と同方向に立ち上がる左右一対の側壁部１０２を有する。側壁部１０２の立ち上がり端縁部には、その内側面側へ突出した形態の係止突起１０３が形成されている。リテーナ１００をハウジング（図示省略）に組み付ける過程では、係止突起１０３がハウジングの抜止め部と干渉することにより、側壁部１０２が幅方向外方へ弾性変位する。そして、リテーナ１００が正規の組付け状態になると、係止突起１０３がハウジングに係止して、リテーナ１００が組付け状態に保持される。
【先行技術文献】
【特許文献】
【０００４】
【特許文献１】特開２０１３−００８５７２号公報
【発明の概要】
【発明が解決しようとする課題】
【０００５】
側壁部１０２は、本体部１０４の幅方向両端部から、端子金具（図示省略）の挿抜方向と平行に突出した形態である。係止突起１０３は、端子金具の挿抜方向と平行に延びた形態であり、係止突起１０３の長さ方向の基端部１０５が、本体部１０４の幅方向両端部に繋がっている。このような構造では、側壁部１０２の剛性が高いため、係止突起１０３に負荷や衝撃等が作用したときに、係止突起１０３における本体部１０４との境界部分（係止突起１０３の基端部１０５）が破損することが懸念される。
【０００６】
本発明は上記のような事情に基づいて完成されたものであって、係止突起の破損を防止することを目的とする。
【課題を解決するための手段】
【０００７】
本発明のコネクタは、
ハウジングと、
前記ハウジング内に幅方向に並列して挿入される複数の端子金具と、
前記ハウジングに対し、前記端子金具の挿入方向と交差する方向に組み付けられ、前記端子金具を抜止めするリテーナと、
前記リテーナを構成し、板面を前記リテーナの組付け方向と交差する方向に向けた基板部と、
前記リテーナを構成し、前記基板部から前記リテーナの組付け方向と同方向に立ち上がった形態の本体部と、
前記本体部の立ち上がり端部に形成され、前記端子金具に係止することで前記端子金具を抜止めする抜止め部と、
前記リテーナを構成し、前記基板部の幅方向両端縁から前記リテーナの組付け方向と同方向に立ち上がり、且つ前記本体部の幅方向両端部から前記端子金具の挿入方向と略平行に突出した形態の一対の側壁部と、
前記側壁部の立ち上がり端部に形成され、前記ハウジングに係止することで前記リテーナを前記ハウジングに対して組付け状態に保持する係止突起と、
前記本体部の幅方向端部のうち前記側壁部の内側面との境界部に形成され、前記リテーナの組付け方向と略平行な溝状の凹部と、
前記本体部の幅方向端部に形成され、前記凹部における前記基板部と反対側の端部を前記本体部の外側面へ連通させる第１切欠部と、
前記第１切欠部と連通し、且つ前記係止突起を前記本体部から分離させる第２切欠部とを備えているところに特徴を有する。
【発明の効果】
【０００８】
本願発明は、本体部の幅方向端部のうち側壁部の内側面との境界部に凹部を形成し、凹部における基板部と反対側の端部を第１切欠部によって本体部の外側面へ連通させ、更に、第１切欠部と連通する第２切欠部によって係止突起を本体部から分離させているので、凹部を構成する外壁部が側壁部と一体的に弾性変位し得るようになっている。本発明によれば、側壁部と一体的に弾性変位し得る領域を確保して側壁部の剛性を低下させるとともに、係止突起を本体部から分離したので、係止突起に負荷や衝撃等が作用したときに係止突起の破損を防止することができる。
【図面の簡単な説明】
【０００９】
【図１】実施例１のリテーナの斜視図
【図２】側壁部の立ち上がり端部を切除した状態をあらわす斜視図
【図３】図２の部分拡大図
【図４】リテーナの背面図
【図５】図４のＸ−Ｘ線断面図
【図６】図５の部分拡大図
【図７】リテーナの側面図
【図８】ハウジングに対しリテーナを仮係止位置に組み付けた状態をあらわす側断面図
【図９】ハウジングに対しリテーナを本係止位置に組み付けた状態をあらわす側断面図
【図１０】図８のＹ−Ｙ線断面図
【図１１】図９のＺ−Ｚ線断面図
【図１２】従来例のリテーナの斜視図
【発明を実施するための形態】
【００１０】
本発明のコネクタは、前記係止突起が、前記第１切欠部よりも前記リテーナの組付け方向先方に配されていてもよい。この構成によれば、基板部から係止突起に至る側壁部の立ち上がり寸法が大きくなるので、側壁部の剛性を低下させることができる。
【００１１】
本発明のコネクタは、前記凹部の内側面には、前記リテーナの組付け方向と交差する断面形状が曲線からなる曲面部が形成されていてもよい。この構成によれば、凹部の内側面が平面のみで構成されている場合に比べると、側壁部が弾性変位したときの凹部の内側面における応力集中が緩和される。
【００１２】
本発明のコネクタは、前記曲面部が、前記凹部の幅方向全領域に亘って連続して形成されていてもよい。この構成によれば、凹部の内側面のうち幅方向の一部が平面である場合に比べると、側壁部が弾性変位したときの凹部の内側面における応力集中が緩和される。
【００１３】
本発明のコネクタは、前記曲面部の断面形状は、曲率が一定の円弧のみで構成されていてもよい。この構成によれば、曲面部が曲率の異なる複数の曲面で構成されている場合に比べると、側壁部が弾性変位したときの凹部の内側面における応力集中が緩和される。
【００１４】
本発明のコネクタは、前記側壁部の内側面と前記凹部の内側面とが滑らかに連続していてもよい。この構成によれば、側壁部の内側面と凹部の内側面との境界部分が段差状をなしている場合や、側壁部の内側面と凹部の内側面とが角度をなして連なっている場合に比べると、側壁部が弾性変位したときの側壁部の内側面と凹部の内側面との境界部分における応力集中が緩和される。
【００１５】
＜実施例１＞
以下、本発明を具体化した実施例１を図１〜図１１を参照して説明する。本実施例１のコネクタＡは、図８，９に示すように、ハウジング１０と、ハウジング１０内に挿入される複数の端子金具２０と、リテーナ３０とを備えて構成されている。尚、以下の説明において、前後方向については図７〜９における右方を、前方と定義する。上下の方向については、図４，７〜１１にあらわれる向きを、そのまま上方、下方と定義する。
【００１６】
ハウジング１０は、合成樹脂製であり、ハウジング１０の内部には、前後方向に貫通した形態の複数の端子収容室１１が、幅方向に並列して形成されている。端子金具２０内には、前方へ片持ち状に延出した形態のランス１２が形成されている。尚、図８，９では、便宜上、１つの端子収容室１１と１つの端子金具２０のみを描いている。
【００１７】
ハウジング１０には、ハウジング１０の下面（外面）に開口し、且つハウジング１０の下面から端子収容室１１内に連通する取付孔１３が形成されている。取付孔１３は、幅方向において複数の端子収容室１１の形成領域を含む範囲に亘って形成されている。取付孔１３内には、後述するリテーナ３０が上向きに組み付けられるようになっている。
【００１８】
図１０，１１に示すように、取付孔１３の幅方向両端部には、左右対称な一対の係止空間１４が形成されている。係止空間１４のうち幅方向外側の側面には、離脱規制部１５が形成されている。同じく係止空間１４のうち幅方向内側の側面には、仮係止用溝部１６と、仮係止用溝部１６よりも上方に配された本係止用受け部１７とが形成されている。
【００１９】
図８，９に示すように、端子金具２０は、角筒部２１と、角筒部２１から前方へ突出するタブ２２と、角筒部２１の後端に連なるオープンバレル状の圧着部２３とを有し、全体として前後方向に細長い形状である。圧着部２３には電線２６が固着されている。角筒部２１の上面（外面）には、段差状の一次係止部２４が形成されている。角筒部２１の後端部は、段差状をなす二次係止部２５となっている。
【００２０】
端子金具２０は、ハウジング１０の後方から端子収容室１１内に挿入される。挿入過程では、ランス１２が角筒部２１と干渉して上方へ弾性撓みする。端子金具２０が正規位置まで挿入されると、弾性復帰したランス１２が一次係止部２４に係止することにより、端子金具２０が抜止めされる。端子金具２０がランス１２により抜止めされた状態では、二次係止部２５が、取付孔１３の開口領域における前端縁に沿うように位置する。
【００２１】
リテーナ３０は、合成樹脂製であり、基板部３１と、本体部３２と、左右対称な一対の側壁部３３とを備えた単一部品である。基板部３１の板面は、ハウジング１０に対するリテーナ３０の組付け方向に対して直角な水平を向いている。基板部３１は、ハウジング１０の下面における取付孔１３の開口領域を閉塞するような略方形をなしている。本体部３２は、基板部３１の上面のうち略前半領域から上方へ突出した形態であり、全体として幅方向（左右方向）に長いブロック状をなしている。本体部３２は、基板部３１の全幅に亘って形成されている。本体部３２には、その上端面３４から突出した形態の複数の抜止め突起３５（請求項に記載の抜止め部）が形成されている。複数の抜止め突起３５は、複数の端子収容室１１と対応するように配されている。
【００２２】
側壁部３３は、基板部３１の上面における幅方向両側縁部から、上方へ片持ち状に立ち上がった形態である。前後方向（端子金具２０の挿入方向と平行な方向）における側壁部３３の形成領域は、基板部３１の後端から本体部３２の後端に至る範囲である。そして、側壁部３３のうち概ね下半分の領域は、本体部３２の幅方向両端部の後面に連なっている。換言すると、側壁部３３は、本体部３２の幅方向両端部から後方へ突出した形態である。側壁部３３の外側面は本体部３２の外側面と面一状に連続している。そして、本体部３２及び側壁部３３の外側面には、前後方向に細長くリブ状に突出した形態の仮係止専用突起３６が形成されている。
【００２３】
側壁部３３の側面視形状は、略方形をなしている。側壁部３３は、その前後方向の基端部（下端部）及び前端縁（本体部３２に連なる上下方向の縁部）を支点として幅方向へ変位するように弾性撓みすることが可能となっている。側壁部３３の上端縁部（立ち上がり端縁部）には、共用突起３７（請求項に記載の係止突起）が形成されている。共用突起３７は、側壁部３３の内側面側へリブ状に突出し、前後方向に沿って細長く延びた形態である。前後方向における共用突起３７の形成領域は、側壁部３３の前後方向におけるほぼ全領域に亘っている。
【００２４】
リテーナ３０は、端子金具２０が未挿入の状態のハウジング１０に対し上向きに組み付けられる。リテーナ３０を仮係止位置に組み付けた状態では、図１０に示すように、仮係止専用突起３６が離脱規制部１５に対し上から係止するとともに、共用突起３７が仮係止用溝部１６に係止する。これらの係止作用により、リテーナ３０は、仮係止位置に保持される。また、リテーナ３０の組付け過程では、これらの係止状態に至る直前で、側壁部３３が幅方向に弾性変位する。リテーナ３０が仮係止位置に保持されている状態では、抜止め突起３５の上端は、端子収容室１１の下面と同じ位置か、それよりも僅かに低い位置で待機する。
【００２５】
端子金具２０は、リテーナ３０が仮係止位置に保持されている状態で端子収容室１１に挿入される。端子金具２０を挿入する際には、図８に示すように、リテーナ３０の抜止め突起３５が端子収容室１１外へ退避しているので、端子金具２０が抜止め突起３５（リテーナ３０）と干渉することはない。全ての端子金具２０が正規位置に挿入された後、仮係止位置のリテーナ３０を本係止位置へ上向きに押し込む。
【００２６】
リテーナ３０が本係止位置に組み付けられた状態では、図１１に示すように、共用突起３７が本係止用受け部１７に対し上から係止する。この係止作用により、リテーナ３０は本係止位置に保持される。リテーナ３０が本係止位置に保持された状態では、図９に示すように、抜止め突起３５が、端子収容室１１内に進出した端子金具２０の二次係止部２５に対し後方から係止する。上記のランス１２による一次係止作用とリテーナ３０による二次係止作用とにより、端子金具２０は確実に抜止め状態に保持される。
【００２７】
リテーナ３０は、共用突起３７の破損防止手段を備えている。図１〜７に示すように、破損防止手段は、左右対称な一対の凹部３８と、左右対称な一対の第１切欠部４１と、左右対称な一対の第２切欠部４２とを備えて構成されている。凹部３８は、本体部３２の後面のうち幅方向両端部を上下方向の溝状に凹ませた形態である。凹部３８が形成されている位置は、本体部３２の後面における側壁部３３の内側面との境界である。凹部３８の下端面は、基板部３１の上面に対し面一状（同じ高さ）で連なっている。凹部３８の上端は、共用突起３７よりも低い高さである。
【００２８】
図６に示すように、凹部３８の内面は幅方向に対向する一対の平面部３９と、１つの曲面部４０とから構成されている。一対の平面部３９は、上下方向に細長く、本体部３２の後面における凹部３８の開口縁部に沿って配されている。一対の平面部３９のうち幅方向において外側に位置する平面部３９は、側壁部３３の内側面の前端部に対し、面一状に連続している。また、凹部３８を形成したことにより、本体部３２の幅方向両端部には、側壁部３３の前端部と連続する外壁部４３が形成されている。外壁部４３は凹部３８を構成し、外壁部４３の内面は凹部３８内に臨み、外壁部４３の外面は本体部３２の外側面を構成する。
【００２９】
曲面部４０の水平断面形状（リテーナ３０の組付け方向と直角に切断した断面形状）は、曲率が一定の半円弧形である。曲面部４０は、凹部３８の幅方向全領域に亘って連続している。また、曲面部４０の断面形状の曲率半径は、凹部３８の幅寸法の１／２と同じ寸法である。そして、曲面部４０の幅方向両端は、一対の平面部３９に対し接線状に連続している。したがって、凹部３８の幅寸法は、凹部３８の奥行き寸法よりも小さい寸法に設定されている。
【００３０】
第１切欠部４１は、本体部３２の幅方向両端部に形成されている。第１切欠部４１は、凹部３８の上端部（凹部３８における基板部３１と反対側の端部）を本体部３２の外側面へ連通させている。第１切欠部４１の前後方向の形成領域は、本体部３２の後面から、凹部３８の前端よりも少し前方の位置に至る範囲である。本体部３２の外側面では、第１切欠部４１が前後方向のスリット状に開口している。第１切欠部４１を形成したことにより、外壁部４３の上端部が、本体部３２から分離した形態となっている。また、第１切欠部４１は、係止突起よりも低い高さに形成されている。換言すると、共用突起３７は、第１切欠部４１よりもリテーナ３０の組付け方向先方（上方）に配されている。
【００３１】
第２切欠部４２も、第１切欠部４１と同様、本体部３２の幅方向両端部に形成されている。第２切欠部４２は、リテーナ３０のうち側壁部３３の内側面と本体部３２の後面とで区画された内部空間を、リテーナ３０の外側面に連通させている。本体部３２の外側面では、第２切欠部４２が上下方向のスリット状に開口している。第２切欠部４２の下端部は第１切欠部４１の後端部と連通している。第２切欠部４２の上端部は、リテーナ３０の上方へ開放されている。つまり、第２切欠部４２は、前後方向において共用突起３７と本体部３２とを分離した形態となっている。
【００３２】
上記構成の破損防止手段によれば、凹部３８を形成したことにより、側壁部３３の前端部から外壁部４３が前方へ延長した形態となっている。また、第１切欠部４１を形成したことにより、外壁部４３の上端部は、本体部３２から分離され、本体部３２に対して相対変位可能となっている。さらに、第２切欠部４２を形成したことにより、側壁部３３の上端部（共用突起３７）は、本体部３２から分離され、本体部３２に対して相対変位可能となっている。
【００３３】
この構成によれば、側壁部３３の内側面が本体部３２の後面に対して直接的に繋がっていて、共用突起３７の前端部が本体部３２の後端部に対して直接的に繋がっている場合に比べると、幅方向の外力を受けたときの側壁部３３の撓み剛性が低くなっている。したがって、側壁部３３が幅方向に弾性変形したときに、側壁部３３に生じる応力が緩和されるとともに、係止突起に生じる応力が大幅に低減される。
【００３４】
本実施例１のコネクタＡは、ハウジング１０と、ハウジング１０内に幅方向に並列して挿入される複数の端子金具２０と、ハウジング１０に対し端子金具２０の挿入方向と交差する方向に組み付けられるリテーナ３０とを備えている。リテーナ３０は、基板部３１と本体部３２と左右一対の側壁部３３とを有する。基板部３１は、板面をリテーナ３０の組付け方向と交差する方向に向けた形態である。本体部３２は、基板部３１からリテーナ３０の組付け方向と同方向に立ち上がった形態である。本体部３２の立ち上がり端部には、端子金具２０に係止することで端子金具２０を抜止めする抜止め突起３５が形成されている。
【００３５】
一対の側壁部３３は、基板部３１の幅方向両端縁からリテーナ３０の組付け方向と同方向に立ち上がり、且つ本体部３２の幅方向両端部から端子金具２０の挿入方向と略平行に（後方へ）突出した形態である。側壁部３３の立ち上がり端部には、ハウジング１０に係止することでリテーナ３０をハウジング１０に対して組付け状態に保持する共用突起３７が形成されている。
【００３６】
そして、本体部３２の幅方向端部のうち側壁部３３の内側面との境界部には、リテーナ３０の組付け方向と略平行な溝状をなす凹部３８が形成されている。また、本体部３２の幅方向端部には、凹部３８における基板部３１と反対側の上端部を本体部３２の外側面へ連通させる第１切欠部４１が形成されている。さらに、リテーナ３０には、第１切欠部４１と連通した形態であり、共用突起３７を本体部３２から分離させる第２切欠部４２が形成されている。
【００３７】
本実施例のコネクタＡは、本体部３２の幅方向端部のうち側壁部３３の内側面との境界部に凹部３８を形成し、凹部３８における基板部３１と反対側の端部を第１切欠部４１によって本体部３２の外側面へ連通させ、更に、第１切欠部４１と連通する第２切欠部４２によって係止突起を本体部３２から分離させている。これにより、凹部３８を構成する外壁部４３が側壁部３３と一体的に弾性変位し得るようになっている。本実施例のコネクタＡによれば、側壁部３３と一体的に弾性変位し得る領域を確保して側壁部３３の剛性を低下させるとともに、係止突起を本体部３２から分離したので、係止突起に負荷や衝撃等が作用したときに係止突起の破損を防止することができる。
【００３８】
また、共用突起３７が、第１切欠部４１よりもリテーナ３０の組付け方向の先方に配されていてるので、基板部３１から係止突起に至る側壁部３３の立ち上がり寸法が大きく確保されている。これにより、側壁部３３の剛性を低下させることができる。
【００３９】
また、凹部３８の内側面には、リテーナ３０の組付け方向と交差する断面形状が曲線からなる曲面部４０が形成されている。この構成によれば、凹部３８の内側面が平面のみで構成されている場合に比べると、側壁部３３が弾性変位したときの凹部３８の内側面における応力集中が緩和される。
【００４０】
また、曲面部４０は、凹部３８の幅方向全領域に亘って連続して形成されている。この構成によれば、凹部３８の内側面のうち幅方向の一部が平面である場合に比べると、側壁部３３が弾性変位したときの凹部３８の内側面における応力集中が緩和される。
【００４１】
また、曲面部４０の断面形状は、曲率が一定の円弧のみで構成されている。この構成によれば、曲面部４０が曲率の異なる複数の曲面で構成されている場合に比べると、側壁部３３が弾性変位したときの凹部３８の内側面における応力集中が緩和される。
【００４２】
また、側壁部３３の内側面と、凹部３８の内側面（平面部３９）とが滑らかに連続している。この構成によれば、側壁部３３の内側面と凹部３８の内側面との境界部分が段差状をなしている場合や、側壁部３３の内側面と凹部３８の内側面が角度をなして連なっている場合に比べると、側壁部３３が弾性変位したときの側壁部３３の内側面と凹部３８の内側面との境界部分における応力集中が緩和される。
【００４３】
＜他の実施例＞
本発明は上記記述及び図面によって説明した実施例に限定されるものではなく、例えば次のような実施例も本発明の技術的範囲に含まれる。
（１）上記実施例では、凹部の下端が基板部の上面と同じ高さであるが、凹部の下端は、基板部の上面より上方の位置であってもよい。
（２）上記実施例では、凹部、第１切欠部及び第２切欠部を、リテーナの幅方向における両端部に形成したが、凹部、第１切欠部及び第２切欠部は、リテーナの幅方向におけるいずれか一方の端部のみに形成してもよい。
（３）上記実施例では、凹部の幅寸法が凹部の奥行き寸法より小さい寸法に設定されているが、凹部の幅寸法は、奥行き寸法と同じでもよく、奥行き寸法より大きくてもよい。
（４）上記実施例では、共用突起（係止突起）が、第１切欠部よりもリテーナの組付け方向先方に配されているが、共用突起（係止突起）は、リテーナの組付け方向において第１切欠部とほぼ同じ位置に配されていてもよい。
（５）上記実施例では、曲面部の断面形状を半円弧形としたが、曲面部の断面形状は、周長が半円に満たない一定曲率の円弧形であってもよい。
（６）上記実施例では、曲面部の断面形状を曲率が一定の円弧形としたが、曲面部の断面形状は、略半楕円形のように曲率の異なる複数の曲線を連ねた形状であってもよい。
（７）上記実施例では、凹部の内側面を平面部と曲面部とで構成したが、凹部の内側面は、曲面部のみで構成してもよく、平面部のみで構成してもよい。
（８）上記実施例では、側壁部が本体部から後方へ突出しているが、本発明は、側壁部が本体部から前方へ突出している場合にも適用できる。
（９）上記実施例では、共用突起（係止突起）が側壁部の内側面側へ突出しているが、本発明は、共用突起（係止突起）が側壁部の外側面側へ突出している場合にも適用できる。
（１０）上記実施例では、仮係止専用突起が側壁部に形成されているが、本発明は、仮係止専用突起が本体部の外側面に形成されている場合にも適用することができる。
【符号の説明】
【００４４】
Ａ…コネクタ
１０…ハウジング
２０…端子金具
３０…リテーナ
３１…基板部
３２…本体部
３３…側壁部
３５…抜止め突起（抜止め部）
３７…共用突起（係止突起）
３８…凹部
４０…曲面部
４１…第１切欠部
４２…第２切欠部
【図１】
0006587149.tif 000002
【図２】
0006587149.tif 000003
【図３】
0006587149.tif 000004
【図４】
0006587149.tif 000005
【図５】
0006587149.tif 000006
【図６】
0006587149.tif 000007
【図７】
0006587149.tif 000008
【図８】
0006587149.tif 000009
【図９】
0006587149.tif 000010
【図１０】
0006587149.tif 000011
【図１１】
0006587149.tif 000012
【図１２】
0006587149.tif 000013